(57)【要約】    【課題】人や作業車等の通行や作業の障害となる度合が軽減される構成のペットボトルコンベアを提供する。    【解決手段】縦コンベア１と、この縦コンベア１の頂部から搬出されるペットボトルを搬送先に送る横コンベア２とを備える。縦コンベア本体６は、縦コンベア枠５内の上部、下部にそれぞれ配設され、一方を駆動側、他方を従動側としたスプロケット９，１０と、上下のスプロケット９，１０に掛け回されたスプロケットチェーン１５と、このスプロケットチェーン１５に配設され、上昇時に開口側が上向きとなるペットボトル搬送用の複数のバケット１６とを有する。縦コンベア１の下部にてペットボトルが投入されたバケット１６が縦コンベア枠５に沿って上昇し、縦コンベア枠５の頂部にてバケット１６が反転することにより、１６バケット内のペットボトルがバケットから横コンベア２上に落下する。【選択図】図３
2009091138.tif 000002
【特許請求の範囲】
【請求項１】
ペットボトルを搬送するペットボトルコンベアにおいて、
縦コンベアと、この縦コンベアの頂部から搬出されるペットボトルを搬送先に送る横コンベアとを備え、
前記縦コンベアは、地盤に固定して立設された縦コンベア枠と、この縦コンベア枠内に収容された縦コンベア本体と、前記縦コンベア枠に取付けられたコンベア駆動用の駆動モータとを有し、
前記縦コンベア本体は、前記縦コンベア枠内の上部、下部にそれぞれ配設され、一方を駆動側、他方を従動側としたスプロケットと、上下のスプロケットに掛け回されたスプロケットチェーンと、このスプロケットチェーンに等間隔に配設され、上昇時に開口側が上向きとなるペットボトル搬送用の複数のバケットとを有し、
前記バケットは、縦コンベアの下部にてペットボトルが投入されたバケットが前記縦コンベア枠内にて上昇し、縦コンベア枠の頂部にて前記バケットが反転することにより、前記バケット内のペットボトルがバケットから前記横コンベア上に落下する構成を有し、
前記横コンベアの上に、前記縦コンベアから落下するペットボトルをガイドするシュートを設けたことを特徴とするペットボトルコンベア。
【請求項２】
請求項１に記載のペットボトルコンベアにおいて、
前記バケットは、下降時に上面となる背面が、スプロケットチェーン取付け側から先端側にかけて下向きとなる傾斜面をなし、前記縦コンベア内の頂部において落下するペットボトルが１つ先の先行バケットの前記傾斜面に沿って前記横コンベア上に落下する構成を有することを特徴とするペットボトルコンベア。
【請求項３】
請求項１または２に記載のペットボトルコンベアにおいて、
前記縦コンベア枠の上部に駆動スプロケットを設け、
前記縦コンベア枠の外面でかつ前記駆動スプロケットの軸の下方に、前記駆動モータを搭載したモータフレームをボルト、ナットの締結、弛緩により上下位置調整可能に取付け、
前記駆動モータの出力軸と前記駆動スプロケットの軸の外端部とにそれぞれ駆動モータの動力伝達用のスプロケットを取付けると共に、これらの動力伝達用のスプロケット間にスプロケットチェーンを掛け回したことを特徴とするペットボトルコンベア。
【請求項４】
請求項３に記載のペットボトルコンベアにおいて、
前記縦コンベア枠の頂部に、前記駆動モータおよび前記モータフレームを巻上装置を介して支持するブラケットを設けたことを特徴とするペットボトルコンベア。
【請求項５】
請求項１から４までのいずれかに記載のペットボトルコンベアにおいて、
前記縦コンベア枠の下部に、上方から落下するバケットを受ける受けカバーを設け、
前記受けカバーは、バケット先端の移動軌跡に沿った形状を有することを特徴とするペットボトルコンベア。
【発明の詳細な説明】
【技術分野】
【０００１】
本発明は、例えばペットボトルの破砕機やその圧縮装置等にペットボトルを搬送するペットボトルコンベアに関する。
【背景技術】
【０００２】
ペットボトルの破砕機やその圧縮装置等にペットボトルを搬送するペットボトルコンベアは、一般的にある高さからペットボトルを落とし込む必要がある。このため、ペットボトルを連続的に処理するためには、従来は例えば特許文献１に記載のように、傾斜コンベアや特殊なコンベアによって必要な高さまで持ち上げて搬送している。
【０００３】
【特許文献１】特許第３７０５５９４号公報
【発明の開示】
【発明が解決しようとする課題】
【０００４】
前記のように、従来のペットボトルコンベアには傾斜したコンベアを用いているので、必要な高さを確保するための相応の距離が必要である。そのため、コンベアの下を人やフォークリフト等の作業車が行き来するスペースが確保し難く、コンベアが人やフォークリフト等の作業車の通行の障害になるという問題点がある。
【０００５】
本発明は、上記問題点に鑑み、人や作業車等の通行や作業の障害となる度合が軽減される構成のペットボトルコンベアを提供することを目的とする。
【課題を解決するための手段】
【０００６】
請求項１のペットボトルコンベアは、ペットボトルを搬入するペットボトルコンベアにおいて、
縦コンベアと、この縦コンベアの頂部から搬出されるペットボトルを搬送先に送る横コンベアとを備え、
前記縦コンベアは、地盤に固定して立設された縦コンベア枠と、この縦コンベア枠内に収容された縦コンベア本体と、前記縦コンベア枠に取付けられたコンベア駆動モータとを有し、
前記縦コンベア本体は、前記縦コンベア枠内の上部、下部にそれぞれ配設され、一方を駆動側、他方を従動側としたスプロケットと、上下のスプロケットに掛け回されたスプロケットチェーンと、このスプロケットチェーンに配設され、上昇時に開口側が上向きとなるペットボトル搬送用の複数のバケットとを有し、
前記バケットは、縦コンベアの下部にてペットボトルが投入されたバケットが前記縦コンベア枠内にて上昇し、縦コンベア枠の頂部にて前記バケットが反転することにより、前記バケット内のペットボトルがバケットから前記横コンベア上に落下する構成を有し、
前記横コンベアの上に、前記縦コンベアから落下するペットボトルをガイドするシュートを設けたことを特徴とする。
【０００７】
請求項２のペットボトルコンベアは、請求項１に記載のペットボトルコンベアにおいて、
前記バケットは、下降時に上面となる背面が、スプロケットチェーン取付け側から先端側にかけて下向きとなる傾斜面をなし、前記縦コンベア内の頂部において落下するペットボトルが１つ先の先行バケットの前記傾斜面に沿って前記横コンベア上に落下する構成を有することを特徴とする。
【０００８】
請求項３のペットボトルコンベアは、請求項１に記載のペットボトルコンベアにおいて、
前記縦コンベア枠の上部に駆動スプロケットを設け、
前記縦コンベア枠の外面でかつ前記駆動スプロケットの軸の下方に、前記駆動モータを搭載したモータフレームをボルト、ナットの締結、弛緩により上下位置調整可能に取付け、
前記駆動モータの出力軸と前記駆動スプロケットの軸の外端部とにそれぞれ駆動モータの動力伝達用のスプロケットを取付けると共に、これらの動力伝達用のスプロケット間にスプロケットチェーンを掛け回したことを特徴とする。
【０００９】
請求項４のペットボトルコンベアは、請求項３に記載のペットボトルコンベアにおいて、
前記縦コンベア枠の頂部に、前記駆動モータおよび前記モータフレームを巻上装置を介して支持するブラケットを設けたことを特徴とする。
【００１０】
請求項５のペットボトルコンベアは、請求項１から４までのいずれかに記載のペットボトルコンベアにおいて、
前記縦コンベア枠の下部に、上方から落下するバケットを受ける受けカバーを設け、
前記受けカバーは、バケット先端の移動軌跡に沿った形状を有することを特徴とする。
【発明の効果】
【００１１】
請求項１の発明によれば、縦コンベアと横コンベアとによりペットボトルコンベアを構成したので、横コンベアの高さを作業車が通過可能な高さに確保することにより、横コンベアの下を通行したり作業を行なうことができ、また、縦コンベアは占有面積が狭いため、全体としてこのペットボトルコンベアは人や作業車の通行や作業の障害となる度合を大幅に低減することができる。
【００１２】
請求項２の発明によれば、縦コンベアのバケットが頂部で反転することにより落下するペットボトルが、頂部にあるバケットの１つ先を先行して下降するバケットの背面の傾斜面に沿って横コンベアに落下するようにしたので、横コンベアへのガイド部材としての別部材を設けることなく、縦コンベアの頂部から落下するペットボトルを横コンベアへ円滑に移行させることができる。
【００１３】
請求項３の発明によれば、駆動モータを搭載したモータフレームを、駆動スプロケットの下方にボルト、ナットの締結、弛緩により縦コンベア枠に上下位置調整可能に取付けたので、ボルトを緩めた状態で駆動モータやモータフレームの自重により動力伝達用のスプロケットチェーンを張り、その張った状態でボルトを締結し縦コンベア枠にモータフレームを固定することによって、動力伝達用のスプロケットチェーンの張り具合を容易に調整することができる。
【００１４】
請求項４の発明によれば、駆動モータの上下位置調整を行なう際に、駆動モータをブラケットから巻上装置を介して支持し、巻上装置によって駆動モータの高さを支持させることにより、動力伝達用のスプロケットチェーンの交換や駆動モータの整備作業における作業性が向上する。
【００１５】
請求項５の発明によれば、前記縦コンベア枠の下部に、上方から落下するバケットを受ける受けカバーを設けたので、縦コンベアを設置した床面から受けカバーに掃き込んだペットボトルがバケットにより効率良く掬われる。また、上部のバケットからペットボトルが落下した場合、この受けカバーでペットボトルを受けることにより、後続のバケットでこのペットボトルを掬い上げることができ、搬送効率があがる。
【発明を実施するための最良の形態】
【００１６】
図１、図２はそれぞれ本発明のペットボトルコンベアの一実施の形態を示す正面図および平面図である。１はペットボトルを上方に搬送する縦コンベア、２はこの縦コンベア１の頂部から落下するペットボトルを搬送先に搬送する横コンベア、３はこの横コンベアにより搬送される搬送先である破砕機、４は横コンベア２により搬送されてきたペットボトルを破砕機３に搬入するシュートである。なお本発明のペットボトルコンベアは破砕機３の代わりにペットボトルの圧縮成型機等を搬送先とする場合もある。
【００１７】
図３（Ａ）はこの実施の形態の縦コンベア１の側面図、図３（Ｂ）はその正面図である。これらの図に示すように、縦コンベア１は縦コンベア枠５と、この縦コンベア枠５内に収容した縦コンベア本体６とを備える。縦コンベア枠５は水平断面形状が矩形をなすもので、四隅に配置される縦枠５ａと、隣接する縦枠５ａ間に架設された横枠５ｂと、縦枠５ａと横枠５ｂとで構成される４隅のコーナー部間を連結して補強するロッド５ｃと、この縦コンベア枠５の外面を覆う外装板５ｄとを備える。なおこの外装板５ｄは必ずしも必要ではない。この縦コンベア枠５は、地盤７に掘られた凹部８内に設置した基枠５ｅ上に固定される。この縦コンベア枠５の前面の下部には外装板５ｄを欠除させたペットボトル投入口５ｆを設ける。
【００１８】
縦コンベア本体６は、縦コンベア枠５の上部に設けたスプロケット取付け枠１３に回転自在に取付けられた軸１１に嵌着した２個の駆動スプロケット９と、縦コンベア枠５の下部に設けたスプロケット取付け枠１４に回転自在に取付けられた軸１２に嵌着した２個の従動スプロケット１０とを備える。駆動スプロケット９と従動スプロケット１０の上下に対応するものどうしにそれぞれスプロケットチェーン１５を掛け回す。
【００１９】
左右のスプロケットチェーン１５，１５に、搬送するペットボトルを入れるバケット１６の左右を固定してバケット１６を取付ける。図４はこのバケット１６の側面断面図、図５はそのバケット枠１６ａの背面図、図６は図４のＡ矢視図である。図４〜図６に示すように、バケット１６はバケット枠１６ａに網１６ｂを張ったものであり、枠１６ａの背面部の左右にそれぞれ４個ずつの取付け孔１６ｃを有する。
【００２０】
図７（Ａ）に示すように、一方スプロケットチェーン１５のリンク１５ａに１つ置きにバケット取付け板１５ｂを溶接する。各バケット取付け板１５ｂには４個のバケット取付け孔１５ｃを有する。図７（Ｂ）に示すように、バケット１６は、その左右の取付け孔１６ｃの位置を左右のスプロケットチェーン１５の取付け板１５ｂの取付け孔１５ｃの位置に合わせ、ボルト１７をこれらの取付け孔１６ｃ、１５ｃに挿通し、ナット１８に螺合して締結することにより、スプロケットチェーン１５に取付けられる。この例では図３に示すように取付け板１５ｂの３つ置きにバケット１６を取付けた例を示す。
【００２１】
図８に示すように、縦コンベア枠５の上部に取付けるスプロケット取付け枠１３の左右に軸受１９を設け、これらの軸受１９，１９に駆動スプロケット９の軸１１を回転自在に支持する。２１はこれらの駆動スプロケット９の駆動モータである。この駆動モータ２１は、モータフレーム２０に搭載される。このモータフレーム２０は、縦コンベア枠５に当てて上下動可能に取付ける縦板部２０ａと、この縦板部２０ａと一体をなし、駆動モータ２１を搭載する横板部２０ｂと、横板部２０ｂ上に固定され、後述のスプロケット２２，２３およびスプロケットチェーン２５を覆うカバー２０ｃとを有する。駆動スプロケット９の軸１１の外端部にスプロケット２２を取付ける。２３は駆動モータ２１の出力軸２４に取付けたスプロケットである。２５はスプロケット２２，２３に掛け回したスプロケットチェーンである。モータフレーム２０は、駆動モータ２１の出力軸２４に取付けられたスプロケット２３が駆動スプロケット９の軸１１の外端部に設けたスプロケット２２の真下に位置するように下記の構造でモータフレーム２０を縦コンベア枠５に取付ける。
【００２２】
図９、図１０に示すように、縦コンベア枠５の側面にモータフレーム２０の取付け板２６を溶接あるいはボルト付けにより固定して取付ける。この取付け板２６にはモータフレーム２０を上下位置調整可能に取付けるための縦長の長孔２７を設ける。２９はナット３０を溶接した裏板である。モータフレーム２０は、縦板部２０ａに設けたボルト挿通孔３１と長孔２７にボルト３２を挿通し、ナット３０に螺合することにより、縦コンベア枠５に対して取付けられる。そして、ボルト３２とナット３０の締結によりモータフレーム２０が縦コンベア枠５に固定され、ボルト３２とナット３０とを弛緩することによりモータフレーム２０が縦コンベア枠５に対して上下動可能となる。
【００２３】
３５は縦コンベア枠５の頂部に設けたブラケットであり、このブラケット３５には図１１に示すように駆動モータ２１を昇降させる巻上装置３６のフック等の接続具３７を掛ける孔３５ａを有する。駆動モータ２１はモータフレーム２０を含めた重心位置の上部となる箇所に巻上装置３６のフック等の接続具３８を接続する吊輪３９を固着する。
【００２４】
図３において、４０は縦コンベア枠５の下部における前記凹部８内に位置する箇所に設けた受けカバーである。この受けカバー４０は、従動スプロケット１０の軸１２を中心とする弧状をなす半円形の弧状断面部４０ａとその両端の側板部４０ｂとからなるもので、弧状断面部４０ａは、バケット１６の先端の移動軌跡に沿った形状を有する。この受けカバー４０は、投入口５ｆから投入されるペットボトルを受け、その内部に投入されたペットボトルが、軸１２を中心に回動するスプロケットチェーン１５に取付けられたバケット１６により掬い上げるものである。また、この受けカバー４０は、上昇中のバケット１６からペットボトルが落下してもこれを受けて再度バケット１６により掬い上げさせる役目を果たす。
【００２５】
このコンベアによりペットボトルを破砕機３に搬入する場合は、駆動モータ２１の作動により駆動スプロケット９を回転駆動してスプロケットチェーン１５を回し、バケット１６を上下動させる。ペットボトルは、縦コンベア枠５の下部の投入口５ｆから投入し、受けカバー４０内に投入する。受けカバー４０内に投入されたペットボトルはバケット１６により掬われ、縦コンベア枠５の正面部において上昇するバケット１６により持ち上げられ、頂部において反転し、図１２に示すように、頂部のバケット１６が反転することにより落下するペットボトル４２は、１つ前を先行するバケット１６の背面である傾斜面１６ｄに沿って落下し、横コンベア２の上に位置するように縦コンベア５に設けたシュート４３によりガイドされて横コンベア２上に落下する。横コンベア２上を搬送されるペットボトル４２は、横コンベア２の端部からシュート４にガイドされて破砕機３に投入される。
【００２６】
このように、本実施の形態のペットボトルコンベアは、縦コンベア１と横コンベア２とによりペットボトルコンベアを構成したので、横コンベア２の高さをその下を人や作業車が通過可能な高さに確保することにより、横コンベア２の下を通行したり作業を行なうことができ、また、縦コンベア１は占有面積が狭いため、全体としてこのペットボトルコンベアは人や作業車の通行や作業の障害となる度合を大幅に低減することができる。
【００２７】
また、この実施の形態においては、縦コンベア１のバケット１６が頂部で反転することにより落下するペットボトル４２が、頂部にあるバケット１６の１つ先を先行して下降するバケット１６の背面である傾斜面１６ｄに沿って横コンベア２に落下するようにしたので、横コンベア２へのガイド部材としての別部材を設けることなく、縦コンベア１の頂部から落下するペットボトル４２を横コンベア２へ円滑に移行させることができる。また、シュート４３は、先行するバケット１６の背面より落下するペットボトル４２が横コンベア２上に確実に落下するようにガイドする。
【００２８】
また本実施の形態においては、駆動モータ２１を搭載したモータフレーム２０を、駆動スプロケット９の下方にボルト３２、ナット３０の締結、弛緩により縦コンベア枠５に上下位置調整可能に取付けたので、ボルト３２を緩めた状態で駆動モータ２１やモータフレーム２０の自重により動力伝達用のスプロケットチェーン２５を張り、その張った状態でボルトを締結し縦コンベア枠５にモータフレーム２０を固定することによって、動力伝達用のスプロケットチェーン２５の張り具合を容易に調整することができる。
【００２９】
また本実施の形態においては、駆動モータ２１の上下位置調整を行なう際、あるいは駆動モータ２１の整備を行なう際、もしくはスプロケットチェーン２５の張り替えを行なう際に、ブラケット３５から巻上装置３６を介して駆動モータ２１を支持しておくことにより、スプロケットチェーン２５の交換や駆動モータ２１の整備作業における作業性が向上する。
【００３０】
また本実施の形態においては、縦コンベア枠５の下部に受けカバー４０を設けたので、縦コンベア１を設置した床面から受けカバー４０に掃き込んだペットボトルがバケットにより効率良く掬われる。また、上部のバケット１６からペットボトルが落下した場合、この受けカバー４０でペットボトルを受けることができ、後続のバケット１６でこのペットボトルを掬い上げることができるので、搬送効率があがる。
【図面の簡単な説明】
【００３１】
【図１】本発明によるペットボトルコンベアの正面図である。
【図２】図１の平面図である。
【図３】（Ａ）は本実施の形態の縦コンベアの側面図、（Ｂ）はその正面図である。
【図４】本実施の形態のバケットの側面断面図である。
【図５】本実施の形態のバケットの枠を示す背面図である。
【図６】図４のＡ矢視図である。
【図７】（Ａ）は本実施の形態のスプロケットチェーンのバケット取付け部を示す正面図、（Ｂ）はそのバケットのスプロケットチェーンへの取付け構造を示す側面断面図である。
【図８】本実施の形態の駆動モータの取付け構造を示す部分断面正面図である。
【図９】図８の部分拡大図である。
【図１０】本実施の形態の駆動モータ取付け板を示す側面図である。
【図１１】本実施の形態において、駆動モータを巻上装置により支持している状態を示す正面図である。
【図１２】本実施の形態において、縦コンベアの頂部で反転し落下するバケットの動きを説明する側面図である。
【符号の説明】
【００３２】
１：縦コンベア、２：横コンベア、３：破砕機、４：シュート、５：縦コンベア枠、６：縦コンベア本体、７：地盤、８：凹部、９：駆動スプロケット、１０：従動スプロケット、１１，１２：軸、１３，１４：スプロケット取付け枠、１５：スプロケットチェーン、１６：バケット、１６ｄ：傾斜面、１７：ボルト、１９：軸受、２０：モータフレーム、２１：駆動モータ、２２，２３：スプロケット、２４：出力軸、２５：スプロケットチェーン、２６：取付け板、２７：長孔、２９：裏板、３０：ナット、３１：ボルト挿通孔、３２：ボルト、３５：ブラケット、３６：巻上装置、３７，３８：接続具、３９：吊輪、４０：受けカバー、４２：ペットボトル、４３：シュート
【図１】
2009091138.tif 000003
【図２】
2009091138.tif 000004
【図３】
2009091138.tif 000005
【図４】
2009091138.tif 000006
【図５】
2009091138.tif 000007
【図６】
2009091138.tif 000008
【図７】
2009091138.tif 000009
【図８】
2009091138.tif 000010
【図９】
2009091138.tif 000011
【図１０】
2009091138.tif 000012
【図１１】
2009091138.tif 000013
【図１２】
2009091138.tif 000014